(57)【要約】  【課題】  両頭のそれぞれにピストン式押出容器等を含む場合に構成の複雑化及び組立作業の煩雑化を有効に回避し得る両頭型化粧料用容器を提供する。  【解決手段】  基筒１と、基筒１の両端部に軸線を中心として回転可能に連結され、各々が内側に雌螺子を備えた先筒２と、各先筒２内に軸線方向に移動可能に収容され、各々が雌螺子と螺合する雄螺子を有する移動体３とを備え、各先筒２及び基筒１の相対回転を通じた雌螺子及び雄螺子の螺合作用により繰り出される各移動体３を介して各先筒２内に収容された各化粧料１０１、１０２を押し出し又は繰り出す容器であって、基筒１内に隔壁１１が形成され、隔壁１１から各先筒２の少なくともいずれか一方の側に向けて突出する突出部１２が形成され、突出部１２に対し移動体３が軸線を中心として回転不能及び軸線方向に摺動可能に嵌め込まれた容器である。【選択図】  図１
0003115340.tif 000002
【実用新案登録請求の範囲】
【請求項１】
基筒と、この基筒の両端部にそれぞれ軸線を中心として回転可能に連結され、それぞれが内側に雌螺子を備えた先筒と、前記各先筒内にそれぞれ軸線方向に移動可能に収容され、それぞれが前記雌螺子と螺合する雄螺子を有する移動体とを備え、前記各先筒及び前記基筒の相対回転を通じた前記雌螺子及び前記雄螺子の螺合作用により繰り出される前記各移動体を介して各先筒内にそれぞれ収容された化粧料を押し出し又は繰り出す両頭型化粧料用容器であって、
前記基筒内に隔壁が形成されており、この隔壁から前記各先筒の少なくともいずれか一方の側に向けて突出する突出部が形成されており、この突出部に対し前記移動体が軸線を中心として回転不能及び軸線方向に摺動可能に嵌め込まれていることを特徴とする両頭型化粧料用容器。
【請求項２】
前記各先筒に係る各領域のうち少なくともいずれか一方に、一組のクリック歯及びバネからなり、前記先筒及び前記基筒の相対回転に同期してクリック感を付与するクリック機構を備える場合において、
前記クリック機構が、前記―組のクリック歯のいずれか一方及び前記バネを一体に成形してなる筒状のクリックバネ部を有しており、このクリックバネ部が、その内側を前記突出部が貫くことで前記移動体を通過させるようにして、前記先筒の内部と前記基筒の内部との間に挟み付けられていることを特徴とする請求項１に記載の両頭型化粧料用容器。
【請求項３】
前記クリック機構は、前記先筒及び前記基筒の相対回転を一方向に規制することにより前記移動体の進退を前進又は後退にのみ規制するラチェット機構を含むことを特徴とする請求項２に記載の両頭型化粧料用容器。
【考案の詳細な説明】
【技術分野】
【０００１】
本考案は、両頭にピストン式押出容器やカートリッジ式繰出容器を含んで構成される両頭型化粧料用容器に関する。
【背景技術】
【０００２】
従来の両頭型化粧料用容器としては、例えば基筒の両側開口の一方に対し内周に雌螺子を有する先筒と外周に雄螺子を有する螺子筒とが該雌螺子と該雄螺子とを螺合させながら装着されており、他方に対し内周に雌螺子を有する先筒と外周に雄螺子を有する螺子棒とが該雌螺子と該雄螺子とを螺合させるとともに螺子筒内に螺子棒を挿入させながら装着されており、基筒と螺子筒及び基筒と螺子棒とが同期回転可能とされたものが開示されている(例えば、特許文献１参照)。
【特許文献１】実公昭５０−１０９３２号公報
【考案の開示】
【考案が解決しようとする課題】
【０００３】
ところで、近年、化粧品についての消費者ニーズの多様化に伴い、先筒に形成したシリンダー内に収容した液状化粧料を移動体たるピストン棒を用いて先端の塗布具等を通じて押し出すタイプのピストン式押出容器や予め先筒内に棒状化粧材、螺子棒及び螺子筒を収容してなるカートリッジを操作筒に対して着脱自在とし交換可能としたカートリッジ式繰出容器に対する需要が増大してきているが、従来の両頭型化粧料用容器に対しても、両頭のそれぞれに螺子棒繰出容器を含む構成を採用することが要請されている。
【０００４】
しかしながら、ピストン式押出容器にあっては、移動体たるピストン棒を回転させて繰り出すことにより先筒内の液状化粧料を螺子棒の先端に設けた塗布具等を通じて押し出すというものであり、操作筒によってピストン棒を回転させるために特殊な構成が要求されている。また、カートリッジ式繰出容器にあっても、本来的にカートリッジを操作筒に対して着脱自在とし交換可能としなければならないために特殊な構成が要求されている。
【０００５】
したがって、従来の両頭型化粧料用容器の構成のまま特殊な構成が要求されるピストン式押出容器やカートリッジ式繰出容器を適用したのでは、徒に構成が複雑化したり組立作業が煩雑化したりするなどの不都合を生じることが想定される。
【０００６】
そこで、本考案の課題は、両頭のそれぞれにピストン式押出容器やカートリッジ式繰出容器を含む構成を採用する場合において、構成の複雑化及び組立作業の煩雑化を有効に回避することができる両頭型化粧料用容器を提供することにある。
【課題を解決するための手段】
【０００７】
上記課題を解決するため、本考案に係る両頭型化粧料用容器は、基筒と、この基筒の両端部にそれぞれ軸線を中心として回転可能に連結され、それぞれが内側に雌螺子を備えた先筒と、各先筒内にそれぞれ軸線方向に移動可能に収容され、それぞれが雌螺子と螺合する雄螺子を有する移動体とを備え、各先筒及び基筒の相対回転を通じた雌螺子及び雄螺子の螺合作用により繰り出される各移動体を介して各先筒内にそれぞれ収容された各化粧料を押し出し又は繰り出す両頭型化粧料用容器であって、基筒内に隔壁が形成されており、この隔壁から各先筒の少なくともいずれか一方の側に向けて突出する突出部が形成されており、この突出部に対し移動体が軸線を中心として回転不能及び軸線方向に摺動可能に嵌め込まれていることを特徴としている。
【０００８】
このような両頭型化粧料用容器によれば、基筒内の隔壁から各先筒の少なくともいずれか一方の側に向けて突出する突出部を備え、この突出部に対し移動体を軸線を中心として回転不能及び軸線方向に摺動可能に嵌め込むこととしているので、両頭のそれぞれにピストン式押出容器やカートリッジ式繰出容器を含む構成を採用する場合において、構成の複雑化及び組立作業の煩雑化を有効に回避することが可能となる。
【０００９】
このような技術的手段において、製品の付加価値を高めるクリック機構を追加的に設ける場合にも確実に適用し得るようにして、本考案による構成の複雑化及び組立作業の煩雑化の回避効果が得られる範囲を拡充しようとする観点からすれば、各先筒に係る各領域のうち少なくともいずれか一方に、一組のクリック歯及びバネからなり、先筒及び基筒の相対回転に同期してクリック感を付与するクリック機構を備える場合において、クリック機構が、―組のクリック歯のいずれか一方及びバネを一体に成形してなる筒状のクリックバネ部を有しており、このクリックバネ部が、その内側を突出部が貫くことで移動体を通過させるようにして、先筒の内部と基筒の内部との間に挟み付けられていることが好ましい。
【００１０】
この場合において、クリック機構に併せて製品の付加価値をさらに高めるラチェット機構を追加的に設ける場合にも確実に適用し得るようにして、本考案による構成の複雑化及び組立作業の煩雑化の回避効果が得られる範囲をさらに拡充しようとする観点からすれば、クリック機構は、先筒及び基筒の相対回転を一方向に規制することにより移動体の進退を前進又は後退にのみ規制するラチェット機構を含むことが好ましい。
【考案の効果】
【００１１】
本考案に係る両頭型化粧料用容器によれば、両頭の少なくともいずれか一方にピストン式押出容器やカートリッジ式繰出容器を含む構成を採用する場合において、構成の複雑化及び組立作業の煩雑化を有効に回避し得ることとなる。
【考案を実施するための最良の形態】
【００１２】
以下、添付図面に基づいて本考案の実施の形態を詳細に説明する。
【００１３】
図１は本考案の一実施の形態に係る両頭型化粧料用容器の全体構成を示す縦断面図（押出容器使用時）、図２は同両頭型化粧料用容器の全体構成を示す縦断面図（繰出容器使用時）、図３は同両頭型化粧料用容器の外観構成を示す平面図（押出容器使用時）、図４は同両頭型化粧料用容器の外観構成を示す平面図（繰出容器使用時）、図５は同両頭型化粧料用容器の参考斜視図（押出容器使用時）、図６は同両頭型化粧料用容器の参考斜視図（繰出容器使用時）である。
【００１４】
本実施の形態において、両頭型化粧料用容器は、両頭の一方にピストン式押出容器が設けられており、他方にカートリッジ式繰出容器が設けられたものとして構成されている。
【００１５】
そして、この両頭型化粧料用容器は、図２、図４及び図６に示すように、基筒１と、先筒２と、移動体３と、押出容器用のクリック機構４と、押出容器用の塗布具たる刷毛５と、押出容器用のキャップ６とを備えたものとして構成されている。
【００１６】
以下、これらの各構成要素についてさらに詳細に説明する。
【００１７】
（１）基筒１
基筒１は、図５及び図６に示すように、円筒形状に形成されたものとして構成されている。
【００１８】
基筒１内には、図１及び図２に示すように、内側空間を、押出容器用の領域と繰出容器用の領域とに二分する隔壁１１が形成されている。
【００１９】
これらの図に示すように、押出容器用の領域には、隔壁１１から押出容器用の先筒２１側に向けて突出する突出部たる軸体１２が形成されている。
【００２０】
ここで、この軸体１２に対しては、移動体３が軸線を中心として回転不能及び軸線方向に摺動可能に嵌め込まれている（これらの図参照）。すなわち、軸体１２は、基筒１による回転力を移動体３に伝達する役割を果たすものとして構成されている。
【００２１】
一方、これらの図に示すように、繰出容器用の領域には、隔壁１１に隣接する基筒１の内部から内側に向けて突出し、かつ、軸線方向に延びる突条１３が周方向に沿って複数適宜間隔で設けられている。
【００２２】
ここで、これらの突条１３に対しては、螺子筒２２ｂの後端部が軸線を中心として回転不能及び軸線方向に摺動可能に嵌め込まれている（これらの図参照）。すなわち、これらの突条１３は、基筒１による回転力を螺子筒２２ｂに伝達する役割を果たすものとして構成されている。
【００２３】
（２）先筒２
先筒２は、図５及び図６に示すように、円筒形状に形成されたものとして構成されている。
【００２４】
図１〜図６に示すように、本実施の形態における先筒２には、押出容器用の先筒２１と、繰出容器用の先筒２２とがある。
【００２５】
押出容器用の先筒２１は、図１及び図２に示すように、押出容器用の基筒１の端部に対し軸線を中心として回転可能に連結されたものであり、内部に液状化粧料１０１を収容するものとして構成されている。
【００２６】
そして、押出容器用の先筒２１は、これらの図に示すように、内側に押出容器用の移動体３１の雄螺子３１ａと螺合する雌螺子２１ａを備えたものとして構成されている。
【００２７】
具体的には、押出容器用の先筒２１は、これらの図に示すように、前側内部と前側内部の内径寸法よりも大きい内径寸法を有する後側内部との間に形成された段差部２１ｂを有しており、後述する筒状のクリックバネ部４０を、段差部２１ｂと基筒１の隔壁１１との間に挟み付け、かつ、前側内部に対し軸線を中心として回転不能な状態とすることにより保持している。そして、押出容器用の先筒２１は、これらの図に示すように、このようなクリックバネ部４０の内周部において押出容器用の移動体３１の雄螺子３１ａと螺合する雌螺子２１ａを備えたものとして構成されている。
【００２８】
すなわち、押出容器用の先筒２１は、これらの図に示すように、基筒１との相対回転を通じた雌螺子２１ａ及び雄螺子３１ａの螺合作用により押出容器用の移動体３１を繰り出すことが可能となっており、かかる押出容器用の移動体３１を介在することにより押出容器用の先筒２１内に収容された液状化粧料１０１を押し出すことが可能となっている。
【００２９】
一方、繰出容器用の先筒２２は、これらの図に示すように、繰出容器用の基筒１の端部に対し軸線を中心として回転可能に連結されたものであり、内部に棒状化粧料１０２を収容するものとして構成されている。
【００３０】
なお、これらの図に示すように、基筒１及び繰出容器用の先筒２２の相対回転における作動抵抗を付与するためのＯリング２２ｃを有している。
【００３１】
そして、繰出容器用の先筒２２は、これらの図に示すように、内側に繰出容器用の移動体３２の雄螺子３２ａと螺合する雌螺子２２ａを備えたものとして構成されている。
【００３２】
具体的には、繰出容器用の先筒２２は、これらの図に示すように、移動体３の先端部に設けられた後述する芯チャック３２ｂを軸線を中心として回転不能及び軸線方向に摺動可能に支持する前側内部と、内部に移動体３の雄螺子３２ａと螺合する雌螺子２２ａが形成された螺子筒２２ｂを軸線を中心として回転可能及び軸線方向に移動不能に支持する後側内部と備えたものとして構成されている。
【００３３】
すなわち、繰出容器用の先筒２２は、これらの図に示すように、基筒１との相対回転を通じた雌螺子２２ａ及び雄螺子３２ａの螺合作用により繰出容器用の移動体３２を繰り出すことが可能となっており、かかる繰出容器用の先筒２２を介在することにより繰出容器用の先筒２２内に収容された棒状化粧料１０２を繰り出すことが可能となっている。
【００３４】
（３）移動体３
移動体３は、円筒形状に形成されたものとして構成されている（図１及び図２参照）。
【００３５】
これらの図に示すように、本実施の形態における移動体３には、押出容器用の移動体３１と、繰出容器用の移動体３２とがある。
【００３６】
押出容器用の移動体３１は、これらの図に示すように、押出容器用の先筒２１内に軸線方向に移動可能に収容されたものとして構成されている。
【００３７】
具体的には、押出容器用の移動体３１は、これらの図に示すように、外周に押出容器用の先筒２１の雌螺子２１ａと螺合する雄螺子３１ａが形成されたものとして構成されている。
【００３８】
また、押出容器用の移動体３１は、これらの図に示すように、先端部に、円盤形状に形成され、先筒２内に軸線方向に水密に摺動可能に挿嵌されたピストン３１ｂを有している。
【００３９】
ここで、このピストン３１ｂは、これらの図に示すように、移動体３の先端部に対し軸線を中心として回転可能に連結されている。これにより、ピストン３１ｂが軸線方向に摺動するとき、軸線を中心として回転しながら繰り出される移動体３に関係なくピストン３１ｂを非回転状態で繰り出すことが可能となっており、その結果、ピストン３１ｂが軸線方向に摺動する際に水密性を確保できなくなる事態を未然に回避することが可能となっている。
【００４０】
すなわち、押出容器用の移動体３１は、これらの図に示すように、押出容器用の先筒２１及び基筒１の相対回転を通じた雌螺子２１ａ及び雄螺子３１ａの螺合作用により繰り出されることが可能となっており、これにより、押出容器用の先筒２１内に収容された液状化粧料１０１をピストン３１ｂを介して押し出すことが可能となっている。
【００４１】
一方、繰出容器用の移動体３２は、これらの図に示すように、繰出容器用の先筒２２内に軸線方向に移動可能に収容されたものとして構成されている。
【００４２】
具体的には、繰出容器用の移動体３２は、これらの図に示すように、外周に形成された雄螺子３２ａを有しており、この雄螺子３２ａによって螺子筒２２ｂの雌螺子２２ａとの間で螺合作用を発揮することが可能となっている。
【００４３】
また、繰出容器用の移動体３２は、これらの図に示すように、先端部に棒状化粧料１０２を保持するための芯チャック３２ｂを有しており、この芯チャック３２ｂは、繰出容器用の先筒２２の前側内部によって軸線を中心として回転不能及び軸線方向に摺動可能に支持されている。
【００４４】
ここで、前述したように、基筒１による回転力は螺子筒２２ｂに伝達されるようになっている。
【００４５】
すなわち、繰出容器用の移動体３２は、これらの図に示すように、繰出容器用の先筒２２及び基筒１の相対回転を通じた雌螺子２２ａ及び雄螺子３２ａの螺合作用により繰り出されることが可能となっており、これにより、繰出容器用の先筒２２内に収容された棒状化粧料１０２を芯チャック３２ｂを介して繰り出すことが可能となっている。
【００４６】
（４）押出容器用のクリック機構４
図１及び図２に示すように、押出容器用の先筒２１に係る領域には、一組のクリック歯４１及びバネ４２からなり、押出容器用の先筒２１及び基筒１の相対回転に同期してクリック感を付与する押出容器用のクリック機構４を備えている。
【００４７】
押出容器用のクリック機構４は、これらの図に示すように、―組のクリック歯４１の一方及びバネ４２を一体に成形してなる筒状のクリックバネ部４０を有するものとして構成されている。
【００４８】
クリックバネ部４０は、これらの図に示すように、クリックバネ部４０の内側を軸体１２が貫くことにより押出容器用の移動体３１を通過させるようにして、押出容器用の先筒２１の段差部２１ｂと基筒１の隔壁１１との間に挟み付けられている。ここで、―組のクリック歯４１の一方は、基筒１の隔壁１１に対向するクリックバネ部４０の部位において周方向に沿って連続的に設けられている（これらの図参照）。また、―組のクリック歯４１の他方は、―組のクリック歯４１の一方に対向する基筒１の隔壁１１の部位において周方向に沿って連続的に設けられている（これらの図参照）。
【００４９】
このようなクリック機構４により、製品の付加価値を高めるクリック機構４を追加的に設ける場合にも確実に適用することが可能となっており、その結果、本考案による構成の複雑化及び組立作業の煩雑化の回避効果が得られる範囲を拡充することが可能となっている。
【００５０】
本実施の形態におけるクリック機構４は、押出容器用の先筒２１及び基筒１の相対回転を一方向に規制することにより押出容器用の移動体３１の進退を前進又は後退にのみ規制するラチェット機構を含むものとして構成されている。
【００５１】
このようなクリック機構４により、クリック機構４に併せて製品の付加価値をさらに高めるラチェット機構を追加的に設ける場合にも確実に適用することが可能となっており、その結果、本考案による構成の複雑化及び組立作業の煩雑化の回避効果が得られる範囲をさらに拡充することが可能となっている。
【００５２】
（５）押出容器用の刷毛５
刷毛５は、図１及び図２に示すように、押出容器用の先筒２１の先端から前側に向けて延出するように先端開口に装着されたものとして構成されている。
【００５３】
ここで、これらの図に示すように、押出容器用の先筒２１の先端開口の後側には、刷毛５の中に挿入された先端側部分たるパイプ部分５１ａを有するパイプ部材５１が設けられており、このパイプ部材５１によって液状化粧料１０１を押出容器用の先筒２１の先端から前側に延出する刷毛５の中まで導き出すことが可能となっている。
【００５４】
すなわち、この刷毛５は、押出容器用の移動体３１及びピストン３１ｂの移動に追従して押し出されてくる液状化粧料１０１を吐き出す際の流路としての役割や、塗布する際の塗布具としての役割などを果たすものとして構成されている。
【００５５】
（６）押出容器用のキャップ６
キャップ６は、図２に示すように、押出容器用の先筒２１の先端から延出する刷毛５の部分を覆うように押出容器用の先筒２１の先端部に装着されるものとして構成されている。
【００５６】
すなわち、このキャップ６は、押出容器用の先筒２１内に充填され、及び、刷毛５に含まれる揮発性内容物たる液状化粧料１０１の乾燥固化を防止する役割や、携帯する際における液状化粧料１０１の飛散防止カバーとしての役割などを果たすものとして構成されている。
【００５７】
上記したように、本実施の形態における両頭型化粧料用容器においては、基筒１内の隔壁１１から押出容器用の先筒２１側に向けて突出する突出部たる軸体１２を備えており、この軸体１２に対して押出容器用の移動体３１が軸線を中心として回転不能及び軸線方向に摺動可能に嵌め込まれたものとして構成されている。
【００５８】
したがって、このような両頭型化粧料用容器によれば、両頭の一方にピストン式押出容器が設けられ、他方にカートリッジ式繰出容器が設けられた構成を採用する場合において、構成の複雑化及び組立作業の煩雑化を有効に回避することが可能となっている。
【００５９】
以上、本考案に係る両頭型化粧料用容器の一実施の形態について説明したが、本考案はこのような実施の形態に限定されるものではない。すなわち、基筒内の隔壁から先筒側に向けて突出し、移動体を軸線を中心として回転不能及び軸線方向に摺動可能に嵌め込むことを可能とする突出部を備えている限り、例えば両頭の双方をピストン式押出容器とする場合に適用してもよいし、両頭の双方をカートリッジ式繰出容器とする場合に適用してもよい。
【図面の簡単な説明】
【００６０】
【図１】本考案の一実施の形態に係る両頭型化粧料用容器の全体構成を示す縦断面図（押出容器使用時）である。
【図２】同両頭型化粧料用容器の全体構成を示す縦断面図（繰出容器使用時）である。
【図３】同両頭型化粧料用容器の外観構成を示す平面図（押出容器使用時）である。
【図４】同両頭型化粧料用容器の外観構成を示す平面図（繰出容器使用時）である。
【図５】同両頭型化粧料用容器の参考斜視図（押出容器使用時）である。
【図６】同両頭型化粧料用容器の参考斜視図（繰出容器使用時）である。
【符号の説明】
【００６１】
１ 基筒
２ 先筒
３ 移動体
４ クリック機構
５ 刷毛
６ キャップ
１１ 隔壁
１２ 軸体
１３ 突条
２１ 押出容器用の先筒
２１ａ 雌螺子
２１ｂ 段差部
２２ 繰出容器用の先筒
２２ａ 雌螺子
２２ｂ 螺子筒
２２ｃ Ｏリング
３１ 押出容器用の移動体
３１ａ 雄螺子
３１ｂ ピストン
３２ 繰出容器用の移動体
３２ａ 雄螺子
３２ｂ 芯チャック
４０ クリックバネ部
４１ 一組のクリック歯
４２ バネ
５１ パイプ部材
５１ａ パイプ部分
１０１ 液状化粧料
１０２ 棒状化粧料
【図１】
0003115340.tif 000003
【図２】
0003115340.tif 000004
【図３】
0003115340.tif 000005
【図４】
0003115340.tif 000006
【図５】
0003115340.tif 000007
【図６】
0003115340.tif 000008